【手続補正書】
【提出日】平成27年5月1日(2015.5.1)
【手続補正１】
【補正対象書類名】特許請求の範囲
【補正対象項目名】全文
【補正方法】変更
【補正の内容】
【特許請求の範囲】
【請求項１】
太陽放射を受け取り、少なくとも第１波長領域とは異なる少なくとも第２波長領域中の太陽放射を電気エネルギーへ変換するように構成された光電層（２０）と、
光電層により透過された第２波長領域の放射を選択的に反射するように、光電層に対向して配置された選択的反射層（３０）と、
少なくとも前記第２波長領域における放射を吸収して、電気エネルギーへ変換する追加の光電層（４０）とを備え、前記選択的反射層（３０）が前記光電層（２０）と前記追加の光電層（４０）との間に配置され、前記少なくとも第１波長領域が３５０〜５００ｎｍの第１の波長バンドと６００〜７００ｎｍの第２の波長バンドとを含み、前記第２波長領域が５００〜６００ｎｍの波長範囲を含む薄膜太陽電池モジュールであって、
４２０〜４８０ｎｍおよび６２０〜７００ｎｍの波長バンド中の放射の少なくとも７５％を透過するように、第１波長領域において実質的に透光性である、薄膜太陽電池モジュール。
【請求項２】
波長バンド中の放射の少なくとも５０％を透過する、請求項１に記載の薄膜太陽電池モジュール。
【請求項３】
波長バンド中の放射の少なくとも７５％を透過する、請求項２に記載の薄膜太陽電池モジュール。
【請求項４】
波長バンド中の放射の少なくとも９０％を透過する、請求項３に記載の薄膜太陽電池モジュール。
【請求項５】
前記選択的反射層（３０）の、前記２波長領域における放射の反射率が、少なくとも５０％である、請求項１に記載の薄膜太陽電池モジュール。
【請求項６】
前記選択的反射層（３０）の、前記第２波長領域における放射の反射率が、少なくとも７５％である、請求項５に記載の薄膜太陽電池モジュール。
【請求項７】
前記選択的反射層（３０）の、前記第２波長領域における放射の反射率が、少なくとも９０％である、請求項６に記載の薄膜太陽電池モジュール。
【請求項８】
植物（５３）を育てるための内部空間（５２）を囲み、前記請求項のいずれか１つに記載の薄膜太陽電池モジュール（１）の少なくとも１つが設置された壁（５１）を備える温室主枠構造物を備える光起電力温室（５０）。
【手続補正２】
【補正対象書類名】明細書
【補正対象項目名】全文
【補正方法】変更
【補正の内容】
【発明の詳細な説明】
【発明の名称】薄膜太陽電池モジュールおよびそれを備えた温室
【発明の背景】
【０００１】
［発明の分野］
本発明は、薄膜太陽電池モジュールに関する。
【０００２】
更に、本発明は、薄膜太陽電池モジュールを備えた温室に関する。
［関連技術］
温室は、野菜、草花などの植物を育てるために重要である。昼間は、温室の中の植物は太陽光により照らされ、一方夜間（暗闇）は、人工光が使用される。重大な問題は、夜間に温室が植物の照明のために大量のエネルギーを消費することである。一方、昼間には植物は太陽光スペクトルの特定の部分のみを吸収し、太陽光スペクトルの残りの部分は使用されない。
【０００３】
欧州特許第２２３０６９５号には、複数の直立した壁と、該直立した壁に支持された屋根とを備えた温室主枠構造物と、該屋根に設置され、光電層において太陽光の所定の光のバンドを選択的に吸収することにより太陽エネルギーを電気に変換する少なくとも１つの薄膜太陽電池モジュールとを備え、該少なくとも１つの薄膜太陽電池モジュールにより選択的に透過された該太陽エネルギーが、所定の植物による光合成を促進するための太陽光の光のバンドを含む、光起電力温室が開示されている。
【０００４】
選択的に吸収する光電層に追加して、選択的に吸収する光電層の吸収帯とほぼ同じ範囲に反射帯を有する、選択的反射層を有する光電モジュールも公知である。このようにして、光電モジュールの効率が向上される。その例は、Ｙ．Ｇａｌａｇａｎ，  Ｍ．Ｇ．Ｄｅｂｉｊｅ，ａｎｄ  Ｐ．Ｂｌｏｍ  ｉｎ  “Ｓｅｍｉｔｒａｎｓｐａｒｅｎｔ  ｏｒｇａｎｉｃ  ｓｏｌａｒ  ｃｅｌｌｓ  ｗｉｔｈ  ｏｒｇａｎｉｃ  ｗａｖｅｌｅｎｇｔｈ  ｄｅｐｅｎｄｅｎｔ  Ｒｅｆｌｅｃｔｏｒｓ（波長依存有機反射板付き半透明有機太陽電池）”  ｉｎ  ＡＰＰＬＩＥＤ  ＰＨＹＳＩＣＳ  ＬＥＴＴＥＲＳ  ９８，０４３３０２＿２０１１に記載されている。
【０００５】
温室には、多くの場合、夜間に内部の植物を照明するための追加の光源が設けられている。これらの光源からの放射のかなりの部分は、迷放射として漏出して、「光害」の問題を起している。「光害」は、夜間の過剰なまたは邪魔な光と定義される。温室からの「光害」の問題は、人口稠密な地域では大変重要である。環境中のこの過剰な光は、温室の近くに住む人々の健康に害（すなわち、睡眠不足）を与える可能性がある。この光害を減らし、更に、迷放射の少なくとも一部を電気エネルギーへ変換することが望まれている。欧州特許第２２３０６９５号で公知の薄膜太陽電池モジュールは、迷放射を変換することが可能であろう。しかしながら、選択的に吸収する光電層に追加して選択的反射層を有する光電モジュールを使用することは不可能であろう。この反射層は、光電層に適切な波長バンドの迷放射が光電層に到達する前にその迷放射を反射するであろう。温室の外部から受け取った太陽放射を変換することおよび温室内部の照射源からの迷放射を変換することの両方が可能であり、かつ変換効率が向上した光電モジュールを提供することが望まれている。
【０００６】
他の光起電装置が、Ｌｕｎｔ  ｅｔ  ａｌ．により“Ｔｒａｎｓｐａｒｅｎｔ，  ｎｅａｒ−ｉｎｆｒａｒｅｄ  ｏｒｇａｎｉｃ  ｐｈｏｔｏｖｏｌｔａｉｃ  ｓｏｌａｒ  ｃｅｌｌｓ  ｆｏｒ  ｗｉｎｄｏｗ  ａｎｄ  ｅｎｅｒｇｙ−ｓｃａｖｅｎｇｉｎｇ  ａｐｐｌｉｃａｔｉｏｎｓ（窓およびエネルギー捕捉用途のための透明近赤外有機光起電太陽電池）”，ＡＰＰＬＩＥＤ  ＰＨＹＳＩＣＳ  ＬＥＴＴＥＲＳ，ｖｏｌ．９８，１７  Ｍａｒｃｈ  ２０１１（２０１１−０３−１７），ｐａｇｅｓ  １１３３０５−１  −  １１３３０５−３に開示されている。Ｌｕｎｔは、スペクトルの可視部分で透明である光起電力電池（ＩＴＯ／ＭｏＯ３；ＣＩＡＩＰＣ−Ｃ６０−；ＢＣＰ／ＩＴＯ）と赤外の放射を選択的に反射する反射板ＤＢＲとを有する光起電装置を開示している。Ｌｕｎｔは、「これらの装置がλ＝６９５と９１０ｎｍの間で９９％の高い反射率のため、構造物の冷却における同時のＮＩＲ遮断にも有用であることに注目している」と述べている。Ｌｕｎｔは更に、「縦に一列に積み重ねた副電池に、より深い赤外領域で吸収する活性層を組み入れることで、ほぼ同一の可視透過率で、２％〜３％を超える効率がこの材料の組み合わせで可能であろう」ことを指摘している。
【発明の概要】
【０００７】
本発明は、太陽放射を受け取り、少なくとも第１波長領域とは異なる少なくとも第２波長領域中の太陽放射を電気エネルギーへ変換するように構成された光電層と、その光電層により透過された第２波長領域の放射を選択的に反射するように、該光電層に対向して配置された選択的反射層と、少なくとも前記第２波長領域における放射を吸収して、電気エネルギーへ変換する追加の光電層とを備え、前記選択的反射層が前記光電層と前記追加の光電層との間に配置され、前記少なくとも第１波長領域が３５０〜５００ｎｍの第１の波長バンドと６００〜７００ｎｍの第２の波長バンドとを含み、前記第２波長領域が５００〜６００ｎｍの波長範囲を含み、４２０〜４８０ｎｍおよび６２０〜７００ｎｍの波長バンド中の放射の少なくとも７５％を透過するように、該薄膜太陽電池モジュールが第１波長領域において実質的に透光性であることを特徴とする。
【０００８】
本発明の第１の側面によれば、少なくとも第１波長領域において実質的に透光性であり、光電層が、太陽放射を受け取り前記少なくとも第１波長領域とは異なる少なくとも第２波長領域における太陽放射を電気エネルギーへ変換するように構成された、改良した薄膜太陽電池モジュールが提供される。前記薄膜太陽電池モジュールは、光電層により透過された該第２波長領域の放射を反射するために光電層に対向して配置された選択的反射層を有する。前記モジュールは、少なくとも前記第２波長領域における放射を吸収し電気エネルギーへ変換する追加の光電層を備える。前記選択的反射層は、光電層（以下、第１の光電層とも呼ばれる）と追加の光電層（以下、第２の光電層とも呼ばれる）との間に配置される。
【０００９】
本発明の第１の側面による薄膜太陽電池モジュールは、例えば太陽放射のない場合に補助の照射が使用される温室での利用に特に適切である。第２波長領域内の補助の放射源からの迷放射は、第２の光電層により吸収され、電気エネルギーへ変換される。第１と第２の光電層の間に配置された選択的反射層は、両光電層の効率を向上させる。少なくとも第１波長領域は、３５０〜５００ｎｍの第１の波長バンドと６００〜７００ｎｍの第２の波長バンドを備え、第２波長領域は５００ｎｍから６００ｎｍまでの波長範囲を備える。
【００１０】
上述したように、Ｌｕｎｔは、光起電装置を有する副電池を積み重ねてもよいと述べている。しかしながら、Ｌｕｎｔは、積み重ねた副電池は、互いに異なる感度範囲を有するべきであることを示唆している。すなわち、積み重ねた層のひとつは、赤外までより深く吸収する活性層を有するべきである。それとは非常に対照的に、本発明による薄膜太陽電池モジュールでは、光電層および追加の光電層は共に第２波長領域における放射を吸収・変換する。
【００１１】
第１の光電層により直接吸収されない第２波長領域内の太陽放射は、選択的反射層により反射され、その後少なくとも部分的に吸収され電気エネルギーへ変換される。
【００１２】
第１の光電層が光子放射の部分Ｃｐａを吸収・変換し、選択的反射層が少なくとも第２波長領域においてＣｒｒの反射率を有すると考えれば、部分（ｌ−Ｃｐａ）＊Ｃｒｒが反射されて第１の光電層へ戻り、追加の部分Ｃｐａ＊（ｌ−Ｃｐａ）＊Ｃｒｒが、第１の光電層で吸収され電気エネルギーに変換される。従って、第２波長領域における薄膜太陽電池モジュールの吸収は、ｌ＋（ｌ−Ｃｐａ）＊Ｃｒｒのファクターで改善される。第１波長領域における選択的反射層の透過率をＣｒｔとすると、これは、薄膜太陽電池モジュールの選択性が（ｌ＋（ｌ−Ｃｐａ）＊Ｃｒｒ）＊Ｃｒｔにより改善されることを示している。
【００１３】
同様に、第２の光電層により直接吸収されない第２波長領域内の迷放射が選択的反射層により反射され、その後少なくとも部分的に吸収され電気エネルギーへ変換される。
【００１４】
実際、選択的反射層は、わずかな吸収損失で所望の高い反射スペクトルに近づくように設計することが可能である。例えば、選択的反射層は、第１波長領域の透過率を９０％とし、第２波長領域の反射率を９０％とすることが可能である。その場合、光子放射の部分Ｃｐａ＝０．５を吸収・変換する光電層を有する薄膜太陽電池モジュールの選択性は、１．４のファクターで改善される。
【００１５】
該第２波長領域の放射を選択的に反射することにより、その放射の、そうしなければ失われていたであろう部分は、今は光電層に吸収され、一方、少なくとも第１波長領域における放射は邪魔されずに温室の内部へ透過される。追加で吸収された放射は電気エネルギーへ変換され、それにより変換エネルギーを高め、一方光合成に関与する波長バンドにおける太陽光の透過率は高く保持している。
【００１６】
少なくとも第１波長領域は、３５０〜５００ｎｍの第１の波長範囲と６００〜７００ｎｍの第２の波長範囲を備える。従って、薄膜太陽電池モジュールは、これらの波長範囲における放射の少なくとも５０％を透過すべきである。その範囲での透過が少なくとも７５％であることが好ましい。その範囲での透過が少なくとも９０％であることがより好ましい。
【００１７】
前記実施態様では、第２波長領域は、５００〜６００ｎｍである。選択的反射層は、第２波長領域における放射の少なくとも５０％の反射率を有するべきである。その範囲での反射率が少なくとも７５％であることが好ましい。その範囲での反射率が少なくとも９０％であることがより好ましい。
【００１８】
ここで参照したＹ．Ｇａｌａｇａｎ  ｅｔ  ａｌ．の文献には、半透明有機太陽電池での使用のためのキラルネマチックコレステリック液晶の溶液処理可能な波長依存性有機反射板が記載されている。コレステリック液晶（ＣＬＣ）は、太陽光スペクトルの幅狭のバンドのみを反射し、残りの波長はそのまま透過する。光電変換に適した未吸収光子のみが反射されて活性層をもう一度透過するように、前記反射バンドを有機太陽電池の吸収スペクトルと一致させる。このようにして、透明性を過大に失うことなく、半透明有機太陽電池の効率を向上することが可能である。更に、Ｓ．Ｈ．Ｃｈｅｎ，  Ｐｈｏｔｏｒａｃｅｍｉｚａｔｉｏｎ  ｂｒｏａｄｅｎｉｎｇ  ｏｆ  ｓｅｌｅｃｔｉｖｅ  ｒｅｆｌｅｃｔｉｏｎ  ａｎｄ  ｐｏｌａｒｉｚａｔｉｏｎ  ｂａｎｄ  ｏｆ  ｇｌａｓｓｙ  ｃｈｉｒａｌ−ｎｅｍａｔｉｃ  ｆｉｌｍｓ（ガラス状キラルネマチック膜の選択的反射・偏光バンドの光ラセミ化拡大），Ｌｉｑｕｉｄ  Ｃｒｙｓｔａｌｓ，２０００，Ｖｏｌ．２７，Ｎｏ．２，２０１−２０９を参照する。
【００１９】
他の公知の方法は、例えば米国特許第７５１５３３６Ｂ２号公報、同第６８４７４８３号公報、同第６１９７２２４号公報に記載されている。複数の副層を備える選択的反射層を設計するためのソフトウェアも市販されており、例えばＳｏｆｔｗａｒｅ  Ｓｐｅｃｔｒａ  Ｉｎｃ製，ｈｔｔｐ：／／ｗｗｗ．ｓｓｐｅｃｔｒａ．ｃｏｍ／，のＴＦＣａｌｃソフトウェアパッケージがある。
【００２０】
本発明の第２の側面によれば、改良された薄膜太陽電池モジュールを備えた温室が提供される。第２の側面による光起電力温室は、植物を育てるための内部空間を囲む壁を備えた温室主枠構造物を備え、上記請求項のいずれか１項に記載の少なくとも１つの薄膜太陽電池モジュールが該壁に設置されている。前記壁は壁の部分を有してもよく、例えば前記壁が直立した部分と屋根部分を有してもよい。あるいは、前記壁は、単一部として、例えば半球状部として形成してもよい。
【図面の簡単な説明】
【００２１】
これらおよび他の側面を、図面を参照してさらに詳しく記載する。
【図１】クロロフィルａ、ｂの吸収スペクトルを示す。
【図２】従来の薄膜太陽電池モジュールを示す。
【図３】昼間の、従来の薄膜太陽電池モジュールを備えた温室を示す。
【図３Ａ】夜間の、図３の温室を示す。
【図４】本発明の第１の側面による薄膜太陽電池モジュールの実施例を示す。
【図５】夜間の、本発明の第２の側面による温室の実施例を示す。
【図６】本発明の第１の側面による薄膜太陽電池モジュールの側面をより詳細に示す。
【実施態様の詳細な説明】
【００２２】
異なる図面において同様の参照符号は、特に明記しない限り、同様の要素を示すものである。
【００２３】
以下の詳細な説明では、本発明を十分に理解するために、多数の具体的な詳細が述べられている。しかしながら、本発明がこれらの具体的な詳細なしに実施可能であることは当業者には理解されるであろう。他の場合においては、公知の方法、手順、部品は、詳細に記載されていないが、これは本発明の側面を不明瞭にしないためである。
【００２４】
以下、本発明を、本発明の実施例を示した添付の図面を参照してより詳細に記載する。しかしながら、本発明は、他の多くの形態で実施可能であり、ここに示した実施例に限定されるものではない。むしろ、これらの実施例は、この開示を十分かつ完全なものとし、本発明の範囲を当業者に十分に知らしめるために記載される。図面において、各層や領域のサイズおよび相対サイズは、理解しやすいよう誇張されている。本発明の実施例は、本発明の理想的な実施例（および中間構造）の模式図である断面図を参照してここに記載される。従って、例えば製造技術および／または公差の結果として図面の形状が変化することは予期されるものである。このように、本発明の実施例は、ここに図示する部分の特定の形状に限定されると解釈すべきではなく、例えば製造に起因する形状の誤差も含むものである。而して、図面に示される領域は、模式的な性質のものであり、それらの形状は、装置の部分の実際の形状を示す意図ではなく、本発明の範囲を限定する意図ではない。
【００２５】
要素または層が、他の要素または層「上に」、「に連結して」、または「に結合して」あると言及される場合は、それが、直接他の要素または層上に、連結して、または結合してあってもよいし、介在する要素または層が存在してもよいと理解されたい。対照的に、要素が、他の要素または層「上に直接」，「に直接連結して」、または「に直接結合して」あると言及されている場合は、介在する要素や層は存在しない。全体を通して、同じ要素は同じ符号で参照される。ここで使用するように、「および／または」という用語は、関連する記載の項目の１つまたは２つ以上の任意のすべての組み合わせを含むものである。
【００２６】
第１、第２、第３などの用語が、様々な要素、成分、領域、層および／または区分を記載するためにここで使用されるが、これらの要素、成分、領域、層および／または区分は、これらの用語によって限定されるものではないことが理解されるであろう。これらの用語は、単に、１つの要素、成分、領域、層または区分を他の要素、成分、領域、層または区分から区別するために使用されるものである。従って、以下で述べる第１の要素、成分、領域、層または区分は、本発明の教示から逸脱することなく第２の要素、成分、領域、層または区分と呼ぶことが可能である。
【００２７】
「の下に」、「の下方に」、「下部の」、「の上方に」、「上部の」などの空間的な相対関係を表す用語は、図面に示されるように、ひとつの要素または特徴の、他の要素または特徴に対する関係を記載するにあたって記述を容易にするためにここで使用されるものである。空間的な相対関係を表す用語は、使用中あるいは操作中の装置の、図面に描かれた方向以外の異なる方向を含むことを意図していると理解されるであろう。例えば、図面中の装置が逆さまになった場合、他の要素または特徴「の下方に」または「の下に」と記載された要素は、他の要素または特徴「の上方に」方向付けられるであろう。このように、例として挙げた「の下方に」という用語は、上方と下方の両方の方向を含むことが可能である。装置は、他の方向を向いていてもよく（９０度回転、あるいは他の方向）、ここで使用する空間的な相対関係を表す記述は、適宜解釈されるものである。
【００２８】
他に定義されない限り、ここで使用するすべての用語（技術・科学用語も含めて）は、本発明が属する分野の当業者により一般に理解されている意味と同じ意味を有する。更に、一般に使用される辞書で定義される用語は、関連する技術分野の文脈での意味と一致する意味を有すると解釈されるべきであり、ここでそのように明らかに定義されない限り理想化されたり極度に正式な意味で解釈されるものではないことが理解されるであろう。対立する場合は、定義も含めて本明細書が優先するであろう。更に、材料、方法、および例は、単に例示の目的であって、限定を意図するものではない。
【００２９】
太陽光は、フルスペクトル光である。しかしながら、植物は光合成のためにスペクトルの一部だけを使用する。このことは、図１に示す、植物における光合成を担う色素であるクロロフィルａ、ｂの吸収スペクトルから明らかである。典型的には５００〜６００ｎｍの間の幅広いスペクトル領域が光合成には適していない。
【００３０】
図２は、Ｇａｌａｇａｎ  ｅｔ  ａｌ．の引用文献で知られるような薄膜太陽電池モジュールを模式的に示すものである。この薄膜太陽電池モジュールは、光電層２０と選択的反射層３０を保持する基板１０からなる。
【００３１】
光電層２０は、基板１０と選択的反射層３０との間に配置される。基板は、ガラスや、ＰＥＴやＰＥＮホイルなどの透光性ポリマーであってもよい。光電層２０は、ポリ３−ヘキシルチオフェン（Ｐ３ＨＴ）および［Ｃ６０］ＰＣＢＭの副層から構成される。選択的反射層３０としては、コレステリック液晶（ＣＬＣ）の副層を積み重ねたものが使用され、それぞれ約８０ｎｍの幅狭のバンドでのみ反射し、残りの波長はそのまま透過させる。そのような、それぞれの波長において反射帯を有するＣＬＣ副層を積み重ねたものが、光電層２０の吸収バンドに一致する反射バンド集合体を有する選択的反射層３０を形成する。この反射バンドを、第２波長領域における主に未吸収放射が光電層２０へ反射されるように、有機太陽電池の吸収スペクトルと一致させる。使用される用途によっては、他の材料を光電層に使用することもできる。例えば、活性材料Ｐ３ＨＴを、より規則正しい有機材料と交換して、光電層の吸収帯をより幅狭くすることもできる。
【００３２】
光電層２０の他の例を、図６を参照してより詳細に説明する。
【００３３】
薄膜太陽電池モジュールは、３５０〜５００ｎｍの波長バンドと６００〜７００ｎｍの波長バンドとを備える第１波長領域において実質的に透光性である。特にフィルム型太陽電池モジュールは、４２０〜４８０ｎｍおよび６２０〜７００ｎｍの波長バンドにおいて放射の少なくとも７５％を透過すべきである。薄膜太陽電池モジュールは、５００〜６００ｎｍの波長範囲において放射の少なくとも７５％を遮断すべきである。示したパーセントは、光子放射の電力のパーセントである。光電層は、太陽放射を受け取り、前記少なくとも第１波長領域とは異なる５００〜６００ｎｍの少なくとも第２波長領域における太陽放射を電気エネルギーへ変換するように構成されている。選択的反射層３０は、光電層に対向して配置され、光電層により透過された第２波長領域における放射を選択的に反射する。選択的反射層は、例えばＴｉＯ２層およびＺｒＯ２層などの異なる屈折率を有する副層を積み重ねたものを備える。その代りにあるいはそれに追加して、３Ｍ製のデュアル輝度上昇フィルム（ＤＢＥＦ、商標名Ｖｉｋｕｉｔｉ）またはポリマー分散型液晶フィルムなどの薄膜材料が使用できる。
【００３４】
図３は、図２に示すような薄膜太陽電池モジュールを備えた温室を模式的に示すものである。図３に示す温室は、植物５３が育つための内部空間５２を囲む壁５１を備える温室主枠構造物を備える。図２を参照して記載したような薄膜太陽電池モジュール１が、壁に設置される。選択的反射層３０は、光電層２０と壁との間に配置される。
【００３５】
昼間は、太陽放射２が薄膜太陽電池モジュール１の光電層２０により受光される。３５０〜５００ｎｍの波長バンドと６００〜７００ｎｍの波長バンドにおける太陽放射は実質的に透過され、それが温室５０の内部５２に並べた植物５３における光合成を引き起こす。５００〜６００ｎｍの波長領域における太陽放射は光電層２０により部分的に吸収され、電気エネルギーへ変換されて電気システム６０へ送達される。電気システム６０は、例えば電気エネルギーを電源へ供給するのに適した形態に変換するＤＣ／ＡＣコンバータを備える。あるいは、電気システム６０は蓄電設備を備えてもよい。
【００３６】
図３Ａは夜間の状態を示す。夜間は、温室の植物５３は光源５４により人工的に照射されてもよい。この光源には、薄膜太陽電池モジュール１から昼間に回収したエネルギーにより電力を供給してもよい。この場合、第２波長領域における放射が前記層３０により反射されるので、光源５４からの迷放射は実質的に弱められている。しかしながら、第２波長領域における放射は実質的に光電層２０に到達せず、その放射の電気エネルギーへの変換は阻止されている。
【００３７】
図４は、本発明の第１の側面による薄膜太陽電池モジュール１の実施例を示す。図４に示す薄膜太陽電池モジュールは、前記選択的反射層３０の反対側に配置される追加の光電層４０を備える。従って、選択的反射層３０は、第１の光電層２０と第２の光電層４０との間に配置される。図４のモジュールの第１の光電層２０および第２の光電層４０は、図２と同じ組成および寸法を有してもよい。選択的反射層３０も、図２と同じ組成および寸法を有してもよい。あるいは、異なる屈折率の副層を積み重ねたもの、例えば、ＴｉＯ２層とＺｒＯ２層を積み重ねたものを使用してもよい。
【００３８】
薄膜太陽電池モジュール１のどちら側に前記基板１０を配置するかは重要ではない。ある実施例では、基板を薄膜太陽電池モジュール１の両側に配置し、それによって雨や雹などの環境条件から太陽電池モジュールを保護している。
【００３９】
図５は、本発明の第１の側面による薄膜太陽電池モジュールを備える、本発明の第２の側面による温室を示す。夜間、第２波長領域の波長を有する光源５４の迷放射は、光電層４０により直接、または選択的反射層３０により反射された後で少なくとも部分的に吸収される。このように、温室の外で迷放射が低減されるだけではなく、迷放射の一部が有用な電気エネルギーに変換される。薄膜太陽電池モジュールは、保護されるように温室の壁の内側に配置されることが好ましい。
【００４０】
図６は、光電層２０をより詳細に示すものである。図４に示す追加の光電層４０も同様の構成を有してもよい。光電層２０または４０は、第１の電極副層２１、電子供与材料および電子受容材料の混合物を備える活性な副層２２、および第２の電極副層２４を含む副層を積み重ねたものを備える。あるいは、前記活性な副層は、供与材料を有する電子供与副副層と受容材料を有する電子受容副副層が互いに対向して配置された組み合わせとして提供されてもよい。しかしながら、電子供与材料と電子受容材料との混合物からなる単一の活性な副層２２を有する図６に示すような構成においては、大量のへテロ接合が得られ、供与体と受容体との間の界面が大きくなる。これは２層型よりもより効率的である。第１および第２の電極副層２１，２４は、例えば透明導電性酸化物（ＴＣＯ）、すなわち、酸化インジウムスズ（ＩＴＯ）などの金属酸化物や導電性ポリマーからなる透明導電性副層である必要がある。電極副層２１，２４はそれ自身で２層以上の副副層を備えてもよい。導電率を向上するために、電極副層２１，２４は、国際公開第２０１１／０１６７２５号公報、欧州特願公開第１６９３４８１号公報、国際公開第２０１０／０１６７６３号公報に記載されるような、金属グリッドと併用してもよい。
【００４１】
実際の実施態様では、光電層２０および追加の光電層４０の各々は、埋め込み導電性グリッド、ＰＥＤＯＴ：ＰＳＳなどの導電性ポリマーの層、供与体−受容体ブレンドを含む活性層、互いに異なる透明導電性材料の層を積み重ねた形態であってもよいカソード、および印刷金属グリッドを備えている。反転した構成では、光電層２０および追加の光電層４０は、第１の導電性グリッド、ＰＥＤＯＴ：ＰＳＳなどの導電性ポリマーの層、酸化亜鉛層、供与体−受容体ブレンド、追加の導電性透明層、第２の導電性グリッドを備えてもよい。
【００４２】
好適な電子供与材料としては、ポリチオフェン類、ポリアニリン類、ポリビニルカルバゾール類、ポリフェニレン類、ポリフェニルビニレン類、ポリシラン類、ポリチエニレンビニレン類、ポリイソチアナフタネン類、ポリシクロペンタジチオフェン類、ポリシラシクロペンタジチオフェン類、ポリシクロペンタジチアゾール類、ポリチアゾロチアゾール類、ポリチアゾール類、ポリベンゾチアジアゾール類、ポリ（チオフェンオキシド）類、ポリ（シクロペンタジチオフェンオキシド）類、ポリチアジアゾロキノキサリン、ポリベンゾイソチアゾール、ポリベンゾチアゾール、ポリチエノチオフェン、ポリ（チエノチオフェンオキシド）、ポリジチエノチオフェン、ポリ（ジチエノチオフェンオキシド）類、ポリテトラヒドロイソインドール類、およびそれらのコポリマーからなる群から選んでもよい。電子供与材料の例としては、ポリチオフェン類（例えば、ポリ（３−ヘキシルチオフェン）（Ｐ３ＨＴ））、ポリシクロペンタジチオフェン類（例えば、ポリ（シクロペンタジチオフェン−コベンゾチアジアゾール））、およびコポリマーからなる群から選ばれたポリマーが挙げられる。
【００４３】
好適な電子受容材料としては、フラーレン類、無機ナノ粒子、オキサジアゾール類、ディスコチック液晶、カーボンナノロッド、無機ナノロッド、ＣＮ基含有ポリマー、ＣＦ３基含有ポリマー、およびそれらの組み合わせからなる群から選んでもよい。電子受容材料の例としては、置換フラーレン（例えば、フェニルＣ６１酪酸メチルエステル（ＰＣＢＭ））が挙げられる。
【００４４】
ここで使用されるように、「備える」、「備えている」、「含む」、「含んでいる」、「有する」、「有している」という用語またはそれらの任意の変形は、非排他的含有を包含することを意図している。例えば、羅列した要素を備えるプロセス、方法、製品、装置は、これらの要素のみに必ずしも限定されるものではなく、明確に羅列していない、あるいはそのようなプロセス、方法、製品、装置に本質的な他の要素を含むことができる。更に、明らかに逆を述べていない限り、「または」は、包括的な「または」を意味し、排他的な「または」を意味しない。例えば、ＡまたはＢという条件は以下のいずれかによって満たされる：Ａが真（または存在）であり、Ｂが偽（または非存在）である、Ａが偽（または非存在）であり、Ｂが真（または存在）である、ＡおよびＢの両方が真（または存在）である。
【００４５】
また、不定冠詞の「ａ」または「ａｎ」を本発明の要素および成分を記載するために使用している。これは本発明の一般的な意味を与えるための単なる便宜のためである。この記載は、１つまたは少なくとも１つを含むように読解するべきであり、また、それ以外を意味することが明らかではない場合は、単数は複数を含むものである。